(57)【要約】      （修正有）【課題】１台で複数の機能を備えた多機能オゾン水素発生器を提供する。【解決手段】多機能オゾン水素発生器２は、水タンク１０と、水タンクから供給される水を用いて水素を生成する水素生成部２２と、オゾンを生成するオゾン生成部２４と、水タンクから供給される水を用いてミストを生成するミスト生成部２３と、水素生成部で生成される水素、オゾン生成部で生成されるオゾンおよびミスト生成部で生成されるミストの少なくとも一つを外部に放出するための放出路３０と、放出路を通して水素、オゾンおよびミストの少なくとも一つを外部に放出するために空気を流す送風器２５と、水素生成部、オゾン生成部、ミスト生成部および送風器を制御する制御ユニット２６と、を備える。【選択図】図１
0003230270.tif 000002
【実用新案登録請求の範囲】
【請求項１】
水タンクと、
前記水タンクから供給される水を用いて水素を生成する水素生成部と、
オゾンを生成するオゾン生成部と、
前記水タンクから供給される水を用いてミストを生成するミスト生成部と、
前記水素生成部で生成される前記水素、前記オゾン生成部で生成される前記オゾンおよび前記ミスト生成部で生成される前記ミストの少なくとも一つを外部に放出するための放出路と、
前記放出路を通して前記水素、前記オゾンおよび前記ミストの少なくとも一つを外部に放出するために空気を流す送風器と、
前記水素生成部、前記オゾン生成部、前記ミスト生成部および前記送風器を制御する制御ユニットと、
を備える、
多機能オゾン水素発生器。
【請求項２】
前記オゾン生成部、前記送風器および前記制御ユニットを格納する底台を更に備え、
前記水タンクは、前記放出路の周囲を囲む筒状を呈し、
前記水タンクは、前記底台上に取り付けられ、
前記底台の前記水タンク側には、前記水タンクの水出口および前記放出路に対向する位置に凹部が形成されており、
前記水素生成部および前記ミスト生成部は、前記凹部の底部に配置されており、
前記オゾン生成部で生成されたオゾンが前記凹部に供給されるように、前記オゾン生成部は、前記底台内に格納されており、
前記送風器からの空気が前記凹部を介して前記放出路に流れるように、前記送風器は、前記底台内に格納されている、
請求項１に記載の多機能オゾン水素発生器。
【請求項３】
前記底台に取り付けられ前記凹部内の水位が最低許容水位までの水位低下を検知する水位センサを備え、
前記制御ユニットは、前記水位センサが前記最低許容水位まで水位が低下したことを検知した場合、前記水素生成部、前記オゾン生成部、前記ミスト生成部および前記送風器の稼働を停止する、
請求項２に記載の多機能オゾン水素発生器。
【請求項４】
前記凹部内の水位が最大水位を超えた場合に前記水タンクからの前記凹部への水の供給を停止するための水位調節機構を有する、
請求項２または３に記載の多機能オゾン水素発生器。
【請求項５】
前記水タンクの水出口に取り付けられ前記凹部内の水位が最大水位を超えた場合に前記水タンクからの前記凹部への水の供給を停止するための調節弁を有する、
請求項２または３に記載の多機能オゾン水素発生器。
【請求項６】
前記オゾン生成部からの前記凹部への前記オゾンの供給位置および前記送風器から前記凹部へ空気を流す位置は、前記凹部内の最大水位より上側である、
請求項２〜５の何れか一項に記載の多機能オゾン水素発生器。
【請求項７】
前記放出路において放出口側に取り付けられており、水滴をガードする水滴ガードを更に備える、
請求項１〜６の何れか一項に記載の多機能オゾン水素発生器。
【請求項８】
前記水タンク内には、テラヘルツ鉱石を含む第１機能性部材およびセリサイト鉱石を含む第２機能性部材のうちの少なくとも一つが配置されている、
請求項１〜７の何れか一項に記載の多機能オゾン水素発生器。
【考案の詳細な説明】
【技術分野】
【０００１】
本考案は、多機能オゾン水素発生器に関する。
【背景技術】
【０００２】
オゾンは消臭効果および殺菌（または除菌）効果を有することが知られている。特許文献１には、室内空間をオゾンで消臭および殺菌するためのオゾン発生器が開示されている。特許文献１の記載のオゾン発生器では、超音波加湿器の蒸気とオゾンとを放出可能な構成となっている。
【先行技術文献】
【特許文献】
【０００３】
【特許文献１】特開２０２０−６６５３６号公報
【考案の概要】
【考案が解決しようとする課題】
【０００４】
特許文献１に記載のオゾン発生器では、オゾンと蒸気とを放出可能である。しかしながら、特許文献１に記載のオゾン発生器における蒸気は、オゾンに適度な湿り気を付加してオゾンの殺菌効果を高めるためのものである。したがって、特許文献１に記載のオゾン発生器は、加湿器単体としての機能を有しない。近年、１台で様々な要望（たとえば水素ミストによるリフレッシュ効果、オゾンによる殺菌（又は除菌）など）に対応可能な機器が求められている。
【０００５】
そのため、本考案の目的は、１台で複数の機能を備えた多機能オゾン水素発生器を提供することである。
【課題を解決するための手段】
【０００６】
本考案に係る多機能オゾン水素発生器は、水タンクと、上記水タンクから供給される水を用いて水素を生成する水素生成部と、オゾンを生成するオゾン生成部と、上記水タンクから供給される水を用いてミストを生成するミスト生成部と、上記水素生成部で生成される上記水素、上記オゾン生成部で生成される上記オゾンおよび上記ミスト生成部で生成される上記ミストの少なくとも一つを外部に放出するための放出路と、上記放出路を通して上記水素、上記オゾンおよび上記ミストの少なくとも一つを外部に放出するために空気を流す送風器と、上記水素生成部、上記オゾン生成部、上記ミスト生成部および上記送風器を制御する制御ユニットと、を備える。
【０００７】
上記構成では、送風器から流れてくる空気にのって、上記水素、上記オゾンおよび上記ミストの少なくとも一つを外部に放出され得る。水素、オゾンおよびミストは、水素生成部、オゾン生成部およびミスト生成部でそれぞれ生成されるので、水素とオゾンとミストの組み合わせ、水素またはオゾンとミストの組み合わせ、ミストのみ等の種々のモードで多機能オゾン水素発生器を稼働できる。そのため、ミストを噴霧しながら、水素およびオゾンの効果をユーザの希望に応じて実現可能である。
【０００８】
一実施形態に係る多機能オゾン水素発生器は、上記オゾン生成部、上記送風器および上記制御ユニットを格納する底台を更に備え、上記水タンクは、上記放出路の周囲を囲む筒状を呈し、上記水タンクは、上記底台上に取り付けられ、上記底台の上記水タンク側には、上記水タンクの水出口および上記放出路に対向する位置に凹部が形成されており、上記水素生成部および上記ミスト生成部は、上記凹部の底部に配置されており、上記オゾン生成部で生成されたオゾンが上記凹部に供給されるように、上記オゾン生成部は、上記底台内に格納されており、上記送風器からの空気が上記凹部を介して上記放出路に流れるように、上記送風器は、上記底台内に格納されていてもよい。
【０００９】
上記構成では、水タンクの水出口に対向して凹部が設けられていることから、底台上に設けられた水タンクから上記凹部内に水を容易に供給できる。凹部の底部には水素生成部およびミスト生成部が配置されているので、水タンクから供給された水を用いて、水素生成部によって水素が生成され得るとともに、ミスト生成部によってミストが生成される。更に、オゾン生成部で生成されたオゾンは上記凹部に供給される。送風器からの空気は凹部を介して放出路に流れる。凹部は、放出路に対向していることから、送風器からの空気によって、上記水素、上記オゾンおよび上記ミストの少なくとも一つを外部に放出できる。
【００１０】
一実施形態に係る多機能オゾン水素発生器は、上記底台に取り付けられ上記凹部内の水位が最低許容水位までの水位低下を検知する水位センサを備え、上記制御ユニットは、上記水位センサが上記最低許容水位まで水位が低下したことを検知した場合、上記水素生成部、上記オゾン生成部、上記ミスト生成部および上記送風器の稼働を停止してもよい。これにより、多機能オゾン水素発生器の故障を防止できる。
【００１１】
一実施形態に係る多機能オゾン水素発生器は、上記凹部内の水位が最大水位を超えた場合に上記水タンクからの上記凹部への水の供給を停止するための水位調節機構を有してもよい。これにより、凹部から水があふれることを防止できる。
【００１２】
一実施形態に係る多機能オゾン水素発生器は、上記水タンクの水出口に取り付けられ上記凹部内の水位が最大水位を超えた場合に上記水タンクからの上記凹部への水の供給を停止するための調節弁を有してもよい。これにより、凹部から水があふれることを防止できる。
【００１３】
上記オゾン生成部からの上記凹部への上記オゾンの供給位置および上記送風器から上記凹部へ空気を流す位置は、上記凹部内の最大水位より上側であってもよい。この場合、水素およびミストの少なくとも一方と、オゾンとを混合し、放出路で放出する場合、凹部内の水面上で、水素およびミストの少なくとも一方と、オゾンとが混合され得る。
【００１４】
一実施形態に係る多機能オゾン水素発生器は、上記放出路において放出口側に取り付けられており、水滴をガードする水滴ガードを更に備えてもよい。この構成では、たとえばミストのように微細化されなかった水滴は水滴ガードで止められる。
【００１５】
上記水タンク内には、テラヘルツ鉱石を含む第１機能性部材およびセリサイト鉱石を含む第２機能性部材のうちの少なくとも一つが配置されていてもよい。水タンク内に第１機能性部材が配置されている場合、テラヘルツ鉱石の作用によって、水の劣化を抑制できる。水タンク内に第２機能性部材が配置されている場合、セリサイト鉱石の作用によって、雑菌が除去され、水が浄化され易い。
【考案の効果】
【００１６】
本発明によれば、１台で複数の機能を備えた多機能オゾン水素発生器を提供できる。
【図面の簡単な説明】
【００１７】
【図１】図１は、一実施形態に係る多機能オゾン水素発生器の概略構成を示す模式図である。
【図２】図２は、図１に示した多機能オゾン水素発生器が有する制御ユニットのブロック図である。
【図３】図３は、多機能オゾン水素発生器の具体的構成例の斜視図である。
【図４】図４は、図３のＩＶ―ＩＶ線の断面図である。
【図５】図５は、図３に示した多機能オゾン水素発生器が有する水タンクを下側からみた場合の図面である。
【図６】図６は、図３に示した多機能オゾン水素発生器が有する水タンクの底部の斜視図である。
【図７】図７は、図３に示した多機能オゾン水素発生器が有する本体部の斜視図である。
【図８】図８は、図７に示した本体部の平面図である。
【図９】図９は、図３に示した多機能オゾン水素発生器が有する水素生成部の分解斜視図である。
【図１０】図１０は、実験例の結果を示すグラフである。
【考案を実施するための形態】
【００１８】
以下、図面を参照して本考案の実施形態を説明する。図面において同一又は相当の部分に対しては同一の符号を付し、重複する説明を省略する。図面の寸法比率は、説明のものと必ずしも一致していない。
【００１９】
図１は、一実施形態に係る多機能オゾン水素発生器２の概略構成を示す模式図である。図１に示したように、多機能オゾン水素発生器２は、水タンク１０と、本体部（底台）２０と、トンネル部（放出路）３０とを備える。
【００２０】
水タンク１０は、本体部２０に着脱自在に取り付けられる。図１に示したように、水タンク１０は本体部２０上に配置される。本実施形態では、本体部２０に対して水タンク１０側を上側と称し、水タンク１０に対して本体部２０側を下側と称す。
【００２１】
本体部２０は、水タンク１０内の水Ｗを用いて水素およびミストをそれぞれ独立して生成可能に構成されているとともに、水素およびミストと独立してオゾンを生成可能に構成されている。
【００２２】
多機能オゾン水素発生器２は、水タンク１０内の水Ｗを用いて本体部２０で生成された水素およびミスト並びに本体部２０で生成されたオゾンの少なくとも一つを、トンネル部３０を介して噴出する。多機能オゾン水素発生器２は、上記水素、ミストおよびオゾンを適宜組み合わせることで異なるモードで稼働可能に構成されている。
【００２３】
［水タンク］
水タンク１０は、トンネル部３０の周囲を囲む筒状体を呈し、水Ｗを貯める容器である。たとえば、水タンク１０の形状は、底辺が上辺より長い台形を所定の軸線周りに回転させて形成される環状体でよい。水タンク１０の最大容量は、たとえば２リットルである。水タンク１０の底部には、水出口１０ａが形成されている。水出口１０ａには、水タンク１０からの水Ｗの流出量（または水供給量）を調節するための電動型の調節弁Ｖが取り付けられている。
【００２４】
［本体部］
本体部２０は、水タンク１０の底台として機能する。本体部２０は、格納ケース２１と、水素生成部２２と、ミスト生成部２３と、オゾン生成部２４と、送風器２５と、制御ユニット２６とを有する。
【００２５】
格納ケース２１は、オゾン生成部２４と、送風器２５と、制御ユニット２６とを格納する。格納ケース２１の水タンク１０側には第１凹部２１ａが形成されている。格納ケース２１に水タンク１０が取り付けられた状態では、第１凹部２１ａは水タンク１０の底部で閉じられる。
【００２６】
第１凹部２１ａは、トンネル部３０および水タンク１０の水出口１０ａに対向する位置に形成されている。よって、第１凹部２１ａは、トンネル部３０を介して外部と連通している。第１凹部２１ａ内には、水タンク１０内の水Ｗが水出口１０ａを介して流入するため、第１凹部２１ａ内には水Ｗが貯まる。したがって、第１凹部２１ａは、本体部２０側の水貯留部として機能する。第１凹部２１ａには、第１凹部２１ａ内に貯められた水Ｗの水位を計測する水位センサＳ１および水位センサＳ２が取り付けられている。水位センサＳ１は、第１凹部２１ａ内にためられた水Ｗの最大水位を検知するセンサであり、水位センサＳ２は、第１凹部２１ａ内にためられた水Ｗの最低許容水位（必要最低限の水位）を検知するためのセンサである。水位センサＳ１および水位センサＳ２は上記最大水位および上記最低許容水位を検出可能な位置に取り付けられていればよい。水位センサＳ１および水位センサＳ２は、第１凹部２１ａの周壁に取り付けられていてもよいし、水位センサＳ１および水位センサＳ２を支持する支持部材が第１凹部２１ａ内に設けられてもよい。
【００２７】
第１凹部２１ａ内には、水素生成部２２およびミスト生成部２３が配置されている。図１に示した例では、第１凹部２１ａの底部２１ｂに水素生成部２２が配置されており、第１凹部２１ａの底部２１ｂに設けられた第２凹部２１ｃにミスト生成部２３が配置されている。
【００２８】
水素生成部２２は、第１凹部２１ａに貯留された水Ｗ（水タンク１０から供給された水Ｗ）を電気分解して水素を生成する。水素生成部２２は、たとえば、一対の電極板とそれらの短絡防止用に一対の電極板の間に配置される絶縁性の隔板とによって構成される。
【００２９】
ミスト生成部２３は、第１凹部２１ａに貯留された水Ｗ（水タンク１０から供給された水Ｗ）をミスト化する。ミスト生成部２３は、たとえば超音波振動子である。
【００３０】
オゾン生成部２４は、空気を用いてオゾンを生成する。オゾン生成部２４は、家庭用オゾン発生器で使用されているオゾン発生器でよい。オゾン生成部２４は、たとえば、２０℃、湿度６０％で１〜１０ｍｇ／ｈのオゾンを多機能オゾン水素発生器２から放出可能なオゾン発生器でよい。オゾン生成部２４は、生成したオゾンを第１凹部２１ａ内に供給する。
【００３１】
送風器２５は、水素生成部２２で生成された水素、ミスト生成部２３で生成されたミストおよびオゾン生成部２４で生成されたオゾンの少なくとも一つを、トンネル部３０を介して外部に放出するための搬送風を生成し、第１凹部２１ａ内に供給する。送風器２５はたとえば送風ファンである。
【００３２】
制御ユニット２６は、水素生成部２２、ミスト生成部２３、オゾン生成部２４および送風器２５に電気的に接続されている。制御ユニット２６は、ユーザの指示に基づいて、水素生成部２２、ミスト生成部２３、オゾン生成部２４および送風器２５を独立して制御する。
【００３３】
制御ユニット２６は、調節弁Ｖおよび水位センサＳ１，Ｓ２に電気的に接続されている。制御ユニット２６は、水位センサＳ１の検知結果に基づいて調節弁Ｖを制御する。制御ユニット２６は、調節弁Ｖと無線で通信し、調節弁Ｖを制御してもよい。或いは、水タンク１０が本体部２０上に設置された際に、調節弁Ｖと電気的に接続される端子部を本体部２０が有し、制御ユニット２６は、上記端子部を介して調節弁Ｖを制御してもよい。制御ユニット２６は、水位センサＳ２で第１凹部２１ａ内の水Ｗが最低許容水位未満になった場合、多機能オゾン水素発生器２の故障防止のため、多機能オゾン水素発生器２を強制停止させる。
【００３４】
制御ユニット２６は、多機能オゾン水素発生器２の稼働状態をユーザに表示する機能も有する。
【００３５】
図２を参照して、制御ユニット２６を更に説明する。図２は、制御ユニット２６のブロック図である。説明の便宜の為、図２では、水素生成部２２、ミスト生成部２３、オゾン生成部２４、送風器２５、水位センサＳ１，Ｓ２および調節弁Ｖも機能ブロックとして図示している。
【００３６】
図２に示したように、制御ユニット２６は、指示受付部２６１、制御部２６２および表示部２６３を有する。
【００３７】
指示受付部２６１は、多機能オゾン水素発生器２のユーザからの指示を受け付ける。本実施形態では、指示受付部２６１は第１スイッチＳＷ１、第２スイッチＳＷ２および第３スイッチＳＷ３を有する。
【００３８】
第１スイッチＳＷ１は、多機能オゾン水素発生器２の電源のＯＮ／ＯＦＦ用のスイッチである。本実施形態では、第１スイッチＳＷ１は、多機能オゾン水素発生器２の駆動時間のタイマー切り換え機能も有する。たとえば、第１スイッチＳＷ１が押される回数に応じて、表１のように電源ＯＮ、３時間タイマーおよび６時間タイマーが切り換えられる。表１では電源ＯＦＦ状態を初期状態としており、第１スイッチＳＷ１が４回押されることによって、初期状態（電源ＯＦＦ状態）に戻る場合を例示している。
【表１】
0003230270.tif 000003
【００３９】
第２スイッチＳＷ２は、水素生成部２２のＯＮ／ＯＦＦの切り換えおよびオゾン生成部２４のＯＮ／ＯＦＦの切り替えを行うスイッチである。たとえば、第２スイッチＳＷ２が押される回数に応じて、表２のように水素生成部２２のＯＮ／ＯＦＦと、オゾン生成部２４のＯＮ／ＯＦＦの組み合わせが選択され得る。表２では水素生成部２２およびオゾン生成部２４がともにＯＦＦ状態を初期状態としており、第２スイッチＳＷ２が４回押されることによって、初期状態（水素生成部２２およびオゾン生成部２４がともにＯＦＦ状態）に戻る場合を例示している。
【表２】
0003230270.tif 000004
【００４０】
第３スイッチＳＷ３は、加湿モードか送風モードの切り換えとともに、加湿モードの際のミスト量（或いはミスト噴出量）を調節するスイッチである。たとえば、第３スイッチＳＷ３が押される回数に応じて、表３のように加湿モードにおけるＨｉ状態とＬｏ状態並びに送風モードに切り換えられる。加湿モードにおけるＨｉ状態は、ミスト量が多い状態であり、Ｌｏ状態はミスト量が少ない状態である。表３では、第１スイッチＳＷ１によって電源ＯＮになった初期状態では、送風モードであり、初期状態から第３スイッチＳＷ３が３回押されることによって、初期状態である送風モードに戻る場合を例示している。
【表３】
0003230270.tif 000005
【００４１】
制御部２６２は、第１スイッチＳＷ１、第２スイッチＳＷ２および第３スイッチＳＷ３で受け付けたユーザ指示に基づいて多機能オゾン水素発生器２を制御する。
【００４２】
具体的には、制御部２６２は、第１スイッチＳＷ１で電源ＯＮが指示されると、送風器２５を駆動するとともに、第２スイッチＳＷ２および第３スイッチＳＷ３で受け付けた指示（初期状態の継続の場合も含む）に基づいて多機能オゾン水素発生器２を稼働する。第１スイッチＳＷ１によってタイマー指示が受け付けられた場合は、指示された時間の間、多機能オゾン水素発生器２を指示されたモードで稼働する。
【００４３】
制御部２６２は、第２スイッチＳＷ２で受け付けた指示に応じて水素生成部２２およびオゾン生成部２４のＯＮ／ＯＦＦを制御する。制御部２６２は、水素生成部２２をＯＮにした場合、水素生成部２２に水素酸化還元電位として、たとえば、最大―１６００ｍＶを供給する。更に、制御部２６２は、第３スイッチＳＷ３で受け付けた指示に応じて、加湿モードにおけるＨｉ状態およびＬｏ状態或いは送風モードで多機能オゾン水素発生器２を稼働するように、ミスト生成部２３および送風器２５を制御する。
【００４４】
具体的には、加湿モードでは、ミスト生成部２３をＯＮ状態とし、送風モードでは、ミスト生成部２３をＯＦＦ状態とする。加湿モードにおけるＨｉ状態では、ミスト生成部２３でのミスト生成量が多くなるようにミスト生成部２３を制御するとともに、送風器２５からの送風量が多くなるように送風器２５を制御する。加湿モードにおけるＬｏ状態では、ミスト生成部２３でのミスト生成量が少なくなるようにミスト生成部２３を制御するとともに、送風器２５からの送風量が少なくなるように送風器２５を制御する。たとえば、ミスト生成部２３が超音波振動子である場合、超音波振動子への電流供給量をＨｉ状態では多くし、Ｌｏ状態では少なくする。Ｈｉ状態およびＬｏ状態におけるミスト生成量および送風量はそれぞれの状態に対して予め設定されている。たとえば、水タンク１０に２リットルの水Ｗが貯められている場合、Ｈｉ状態では、１２時間連続稼働可能であり、Ｌｏ状態では、３０時間連続稼働可能なように設定され得る。送風モードでは、制御部２６２は送風器２５を、Ｌｏ状態と同じ送風量になるように駆動する。
【００４５】
制御部２６２は、水位センサＳ１の検知結果に応じて、調節弁Ｖを制御する。具体的には、水位センサＳ１によって、最大水位を超えて第１凹部２１ａ内に水Ｗが貯まった場合には、調節弁Ｖを閉じて水タンク１０から第１凹部２１ａへの水Ｗの供給を停止する。したがって、調節弁Ｖは第１凹部２１ａ内の水位が最大水位を超えた場合に水タンク１０からの第１凹部２１ａへの水の供給を停止するための弁であり、制御ユニット２６（具体的には制御部２６２）とともに水位調節機構として機能する。制御部２６２は、水位センサＳ２の検知結果において、最低許容水位より第１凹部２１ａ内の水Ｗが減少した場合には、故障防止のため、多機能オゾン水素発生器２の稼働を停止する。
【００４６】
表示部２６３は、指示受付部２６１で受け付けたユーザ指示に基づいた多機能オゾン水素発生器２の稼働状態をユーザに表示する。表示部２６３は、制御部２６２によって制御される。
【００４７】
上記制御ユニット２６によって、水素生成部２２、オゾン生成部２４、ミスト生成部２３および送風器２５はそれぞれ独立にＯＮ／ＯＦＦ制御され得る。水素生成部２２およびミスト生成部２３は、第１凹部２１ａに配置されているので、第１凹部２１ａ内で水素およびミストが生成される。オゾン生成部２４で生成されたオゾンは第１凹部２１ａに供給される。第１凹部２１ａには、トンネル部３０が連通しているため、送風器２５からの搬送風で、第１凹部２１ａ内の水素、ミスト及びオゾンは、トンネル部３０を介して多機能オゾン水素発生器２から噴出される。
【００４８】
多機能オゾン水素発生器２では、水素生成部２２、オゾン生成部２４およびミスト生成部２３それぞれを独立して制御可能である。したがって、水素生成部２２、オゾン生成部２４およびミスト生成部２３のＯＮ／ＯＦＦ状態の組み合わせによって、表４に示したように、複数のモードでの稼働を実現できる。更に、前述したように、加湿モードでは、Ｈｉ状態とＬｏ状態とを選択可能である。
【表４】
0003230270.tif 000006
【００４９】
ミストを含むことで、多機能オゾン水素発生器２が配置された空間の乾燥を防止可能である。更に、水素とミストとを組み合わせた水素ミストモードでは、リフレッシュ効果、肌の潤いを保持増加する効果を発揮できる。オゾンミストモードでは、上記のように乾燥を防止しながら、オゾンの効果で脱臭および除菌が可能である。オゾン水素ミストモードでは、オゾンと水素とを混合することで酸化力の高いＯＨラジカルを発生できる。その結果、一層高い除菌効果が得られる。更に、オゾンと水素とを組み合わせることで、オゾン独特の匂いを低減できる。加湿モードでは、Ｈｉ状態とＬｏ状態とを選択可能である。これにより、多機能オゾン水素発生器２を使用する場所の広さに応じて、ミスト噴出量を調整できる。たとえば、３０ｍ２（２０畳程度）では、多機能オゾン水素発生器２をＨｉ状態で稼働し、１５ｍ２（５〜８畳程度）では、多機能オゾン水素発生器２をＬｏ状態で稼働することが可能である。送風モードを選択可能であるため、加湿したくない場所（たとえばキッチン、バスルームなど）でも消臭、除菌が可能である。したがって、１台の多機能オゾン水素発生器２で複数の機能を実現可能である。多機能オゾン水素発生器２は、ミストを噴出可能なため、加湿機能付オゾン水素発生器でもある。
【００５０】
多機能オゾン水素発生器２では、水タンク１０の水出口１０ａに対向して第１凹部２１ａが設けられていることから、本体部２０上に設けられた水タンク１０から第１凹部２１ａ内に水Ｗを容易に供給できる。第１凹部２１ａの底部には水素生成部２２およびミスト生成部２３が配置されているので、水タンク１０から供給された水Ｗを用いて、水素およびミストを容易に生成可能である。
【００５１】
多機能オゾン水素発生器２の説明では、調節弁Ｖが、制御ユニット２６で制御される電動型の弁である場合を説明した。しかしながら、調節弁Ｖは機械式の弁（非電動型の弁）であってもよい。この場合、多機能オゾン水素発生器２は、水位センサＳ１を有しなくてもよい。
【００５２】
水タンク１０内には、テラヘルツ鉱石を含む第１機能性部材およびセリサイト鉱石を含む第２機能性部材のうちの少なくとも一つが配置されていてもよい。第１機能性部材の例は、テラヘルツ鉱石から形成されたボール体（以下、「ＴＥＲＡボール」と称す）である。第２機能性部材の例は、セリサイト鉱石から形成されたボール体（以下、「セリサイトボール」と称す）。水タンク１０内に第１機能性部材が配置されている場合、テラヘルツ鉱石の作用によって、水の劣化を抑制できる。水タンク１０内に第２機能性部材が配置されている場合、セリサイト鉱石の作用によって、雑菌が除去され、水が浄化され易い。水タンク１０内には、その他、マイナスイオンの発生、ミネラル生成およびカルキの除去の少なくとも一つが可能な機能性部材、水素結合力を高め抗菌、抗カビ効果を高める機能性部材などが配置されてもよい。
【００５３】
次に、図３〜図９を参照して、多機能オゾン水素発生器２の具体的な構成例を説明する。図３〜図９を利用して説明する多機能オゾン水素発生器２を多機能オゾン水素発生器２Ａと称す。多機能オゾン水素発生器２Ａの説明において、多機能オゾン水素発生器２の要素と同じ要素には同じ符号を付し、重複する説明は適宜省略する。多機能オゾン水素発生器２Ａの説明は、具体的な数値などを挙げて説明するが、本考案は、多機能オゾン水素発生器２Ａの構成に限定されない。図３および図４に示したように、多機能オゾン水素発生器２Ａは、水タンク１０と、本体部２０と、蓋部４０とを備える。多機能オゾン水素発生器２Ａは、後述するように、切頭円錐体状を呈する。多機能オゾン水素発生器２Ａの底径は１５ｃｍであり、高さ３１ｃｍである。
【００５４】
水タンク１０は、水Ｗを貯める容器である。多機能オゾン水素発生器２Ａにおいて水タンク１０の最大容量は２リットルである。水タンク１０の外形は、切頭円錐体状を呈する。具体的には、水タンク１０の径は、本体部２０側の方が蓋部４０側より長い。水タンク１０は、水タンク本体１１と、底部１２とを有する。
【００５５】
水タンク本体１１は、第１筒部１１１と、第１筒部１１１の内側に配置された第２筒部（放出路）１１２および第３筒部１１３と、天部１１４を有し、第１筒部１１１と第３筒部１１３とが天部１１４で連結され且つ第２筒部１１２と第３筒部１１３が連結されることによって構成されている。
【００５６】
第１筒部１１１は、水タンク１０の側周壁を構成する。第２筒部１１２は、第１筒部１１１内に第１筒部１１１と同心で配置された円筒体であり、トンネル部３０の一部を構成する。第２筒部１１２の中心線方向の長さ（または鉛直方向の長さ）は、第１筒部１１１の中心線方向の長さより短い。
【００５７】
天部１１４は、第１筒部１１１の上側端部に位置する開口に第１筒部１１１と一体的に設けられており、第１筒部１１１の中心線の方向からみた場合、第１筒部１１１の中心（第２筒部１１２側に向けて）に向けて窪んでいる。天部１１４の中心には、第１筒部１１１と同心の開口が形成されている。
【００５８】
天部１１４の中心に形成された開口の縁部から第２筒部１１２の径より大きな径を有する第３筒部１１３が下側に延びている。第３筒部１１３の中心線方向の長さは、第２筒部１１２より短い。第３筒部１１３の下側端部で第３筒部１１３は、第２筒部１１２と連結されている。この際、第２筒部１１２の上側端部は、第３筒部１１３の下側端部の位置より上側に位置している。
【００５９】
上記構成の水タンク本体１１は、樹脂製であり、第１筒部１１１、第２筒部１１２、第３筒部１１３および天部１１４は一体的に形成されている。
【００６０】
底部１２は、第１筒部１１１の下側端部に位置する開口を塞ぐ部材であり、底板１２１を有する。
【００６１】
図５に示したように、底板１２１には、水出口１０ａが形成されている。水出口１０ａには、水出口１０ａに着脱自在であり、調節弁Ｖが内蔵されたキャップ５１（図４参照）が取り付けられている。多機能オゾン水素発生器２Ａが備える調節弁Ｖは、第１凹部２１ａ内の水位が最大水位を超えた場合に水タンク１０からの第１凹部２１ａへの水Ｗの供給を停止するための機械式（非電動型）の弁である。水出口１０ａは、水タンク１０への水供給口としても機能する。
【００６２】
図４に示したように、底板１２１には、第１筒部１１１と同心の第１筒部１２２が水タンク本体１１側に設けられている。第１筒部１２２の内側には、トンネル部３０の一部を構成する第２筒部（放出路）１２３が第１筒部１２２と同心で配置されている。第１筒部１２２の上側端部と第２筒部１２３の上側端部は連結部１２４で連結されており、連結部１２４には、第２筒部１１２の下側端部が嵌められる凹部１２４ａが形成されている。第２筒部１２３の下側端部は、底板１２１より下側に突出しており、第１筒部１２２の下側端部の一部から、第２筒部１２３の突出部分をカバーするカバー部１２５が延びている。
【００６３】
底板１２１には、機能性セラミックスを収容する機能性部材収容部１２６が、水タンク本体１１側に設けられている。機能性部材収容部１２６は、上側の端部が閉じられた管状を呈する。機能性部材収容部１２６の壁部には、水タンク１０内の水Ｗが機能性部材収容部１２６内に流出入可能に複数の孔部１２６ａが形成されている。
【００６４】
機能性部材収容部１２６内には、４種類の機能性ボール（機能性部材）が収容されている。具体的には、テラヘルツ波を放出するテラヘルツ鉱石（或いはＴＥＲＡ鉱石）で形成されたＴＥＲＡボール（第１機能性部材）と、遠赤外線を放出するセリサイト鉱石で形成されたセリサイトボール（第２機能性部材）と、マイナスイオンの発生、ミネラル生成およびカルキの除去の少なくとも一つが可能なイオン発生ボールと、水素結合力を高め抗菌、抗カビ効果を高めるための遠赤外線ボールとが、機能性部材収容部１２６に収容されている。
【００６５】
４種類の機能性ボールは、機能性部材収容部１２６のうち閉じた端部（上側端部）と反対側の開口１２６ｂ（底板１２１に形成された開口１２６ｂ）から機能性部材収容部１２６内に投入される。機能性部材収容部１２６の開口は、脱着可能な蓋５２で塞がれている。
【００６６】
図６に示したように、底板１２１には、上側端部が閉じられた筒状の収容部１２７が水タンク本体１１側に設けられている。収容部１２７は、本体部２０が有するオゾン生成部２４を収容する部分（具体的には、オゾン生成部２４を格納する第２格納部２８を収容する部分）である。
【００６７】
底部１２は樹脂性であり、底板１２１、第１筒部１２２、第２筒部１２３、機能性部材収容部１２６および収容部１２７は、一体的に形成されている。
【００６８】
図４に示したように、蓋部４０は、水タンク本体１１の天部１１４上に被せられる。蓋部４０は、蓋本体４１を有する。蓋本体４１は、側周部４１１と、側周部４１１の上側開口に一体的に設けられた天部４１２とを有する。側周部４１１の水タンク１０側の開口は、第１筒部１１１の上側端部と同じ径を有し、側周部４１１は、上側に向けて径が小さくなっている。よって、蓋部４０の外形も切頭円錐体状を呈する。天部４１２の中央には、噴出口４１２ａが形成されており、天部４１２は、噴出口４１２ａに向けて窪んでいる。噴出口４１２ａは、多機能オゾン水素発生器２Ａにおけるトンネル部の放出口として機能する。天部４１２において噴出口４１２ａ近傍は、下側に筒状に延びている。噴出口４１２ａの径は、第２筒部１１２の径より小さい。
【００６９】
蓋本体４１は樹脂製であり、側周部４１１と天部４１２とは一体的に形成される。
【００７０】
噴出口４１２ａには、噴出口４１２ａと、第２筒部１１２とを連結する連結管４２が取り付けられている。多機能オゾン水素発生器２Ａにおいて、連結管４２は、トンネル部３０の一部を構成する。
【００７１】
連結管４２は、第２筒部１１２に一端が取り付けられる第１領域４２１と、第１領域４２１から連続して設けられており噴出口４１２ａに一端が取り付けられる第２領域４２２とを有する。
【００７２】
第１領域４２１は、第２筒部１１２の外径と実質的に一致する内径と、第３筒部１１３の内径と実質的に一致する外径を有する筒状を呈し、第１領域４２１の一端は、第２筒部１１２に嵌められている。第２領域４２２は、第１領域４２１から噴出口４１２ａに向けて径が縮小したテーパー状を呈する。第２領域４２２の上端は、噴出口４１２ａに嵌められている。
【００７３】
連結管４２は樹脂製であり、第１領域４２１と第２領域４２２とは一体的に形成されている。
【００７４】
連結管４２には、水滴ガード６０が配置されている。水滴ガード６０は、第１領域４２１と第２領域４２２との接続部近傍に配置され、第２筒部１１２の径とほぼ同じか若干小さい径を有する円板状を呈する。水滴ガード６０は、第２領域４２２の内面に一部連結された保持部６１によって保持されている。水滴ガード６０は、微細のミストを通す一方、ミストになりきれず、水滴状で噴出口４１２ａ側に流れてきた水分をブロックするように構成されている。
【００７５】
図４および図７に示したように、本体部２０は、格納ケース２１を有する本体部２０の外形も切頭円錐体状を呈する。これによって、多機能オゾン水素発生器２Ａ全体の外形も切頭円錐体状を呈する。
【００７６】
格納ケース２１は、外周壁２１１と、外周壁２１１の上側を塞ぐ天板２１２と、外周壁２１１の下側を塞ぐ底蓋２１３を有する。天板２１２において水タンク１０のうち水出口１０ａおよび第２筒部１２３と対向する位置は、底蓋２１３側に凹んでおり、これにより、第１凹部２１ａが形成されている。第１凹部２１ａの周壁と外周壁とで囲まれる空間の一部に制御ユニット２６（図３および図８参照）が格納されている。
【００７７】
図３に示したように、外周壁２１１において、制御ユニット２６と対向する領域には、第１スイッチＳＷ１、第２スイッチＳＷ２および第３スイッチＳＷ３を操作可能に、それらが露出している。具体的には、外周壁２１１には、第１スイッチＳＷ１、第２スイッチＳＷ２および第３スイッチＳＷ３を操作可能なように開口が形成されている。
【００７８】
更に、外周壁２１１において、第１スイッチＳＷ１、第２スイッチＳＷ２および第３スイッチＳＷ３上には、表示部２６３が有する複数の表示ランプ２５３ａ，２５３ｂ，２５３ｃが露出している。
【００７９】
図３に示した例では、第１スイッチＳＷ１に対して、「ＯＮ」、「３Ｈ」および「６Ｈ」の表示ランプ２５３ａが設けられている。
【００８０】
「ＯＮ」で表される表示ランプ２５３ａは、表示ランプ２５３ａの点灯によって、多機能オゾン水素発生器２Ａが駆動状態（ＯＮ状態）であることを示すランプである。「３Ｈ」で表される表示ランプ２５３ａは、３時間タイマーが設定された状態であることを示すランプである。「６Ｈ」で表される表示ランプ２５３ａは、６時間タイマーが設定された状態であることを示すランプである。
【００８１】
図３に示した例では、第２スイッチＳＷ２に対して、「水素」および「オゾン」の表示ランプ２５３ｂが設けられている。
【００８２】
「水素」で表される表示ランプ２５３ｂは、表示ランプ２５３ｂの点灯によって、水素生成部２２がＯＮ状態であることを示すランプである。「オゾン」で表される表示ランプ２５３ｂは、オゾン生成部２４がＯＮ状態であることを示すランプである。
【００８３】
図３に示した例では、第３スイッチＳＷ３に対して、「Ｈｉ」および「Ｌｏ」の表示ランプ２５３ｃが設けられている。
【００８４】
「Ｈｉ」で表される表示ランプ２５３ｃは、表示ランプ２５３ｃの点灯によって、加湿モードであり且つミスト噴出量が大の状態であることを示すランプである。「Ｌｏ」で表される表示ランプ２５３ｃは、表示ランプ２５３ｃの点灯によって、加湿モードであり且つミスト噴出量が小の状態であることを示すランプである。多機能オゾン水素発生器２Ａが稼働状態において、２つの表示ランプ２５３ｃが消灯している状態は、多機能オゾン水素発生器２Ａが送風モードであることを示す。
【００８５】
第１凹部２１ａ内には、送風器２５を格納する第１格納部（送風器格納部）２７が設けられている。第１格納部２７の高さは、第１凹部２１ａの深さより低い。第１格納部２７のうち第１凹部２１ａの中心側に向いた壁面には、送風口２７ａが形成されている。送風口２７ａは、第１凹部２１ａの最大水位より上側に形成されている。
【００８６】
第１格納部２７上には、オゾン生成部２４を格納する第２格納部（オゾン生成部格納部）２８が設けられている。第２格納部２８において、外側の壁部から外周壁２１１には、図８に示したように、空気導入部２９が形成されている。空気導入部２９は、外周壁２１１を貫通しており外部に連通している。これにより、空気導入部２９を介して第２格納部２８内のオゾン生成部２４に空気が導入され、導入された空気によってオゾンが生成され得る。第２格納部２８の一部は、下側の第１格納部２７に繋がっており、オゾン生成部２４で生成されたオゾンは、第１格納部２７および送風口２７ａを介して第１凹部２１ａ内に供給され得る。送風口２７ａは、第１凹部２１ａの最大水位より上側に形成されていることから、オゾンおよび空気の第１凹部２１ａの供給位置は、最大水位より上側である。
【００８７】
図３に示したように、第１凹部２１ａの底部２１ｂには、更に第２凹部２１ｃが形成されている。第２凹部２１ｃには、ミスト生成部２３が配置されており、ミスト生成部２３上には、水素生成部２２が配置されている。
【００８８】
ミスト生成部２３は、円板状の超音波振動子であり、第２凹部２１ｃの壁面に図示しない保持部によって振動可能に保持されている。
【００８９】
水素生成部２２は、ミスト生成部２３上に配置されている。水素生成部２２は、図９に示したように、水素生成器（水素生成部本体）２２１と、一対のカバー２２２とを有する。
【００９０】
水素生成器２２１は、一対の電極板２２１１と、隔板２２１２とを有する。
【００９１】
一対の電極板２２１１のうちの一方は陽極板として機能し、他方は陰極板として機能する。一対の電極板２２１１は、白金メッキされたチタンで構成されている。一対の電極板２２１１それぞれの中央には、開口２２１１ａが形成されている。一対の電極板２２１１それぞれにおいて、開口２２１１ａ以外の他の領域には、複数の貫通孔２２１１ｂが形成されている。開口２２１１ａの径は、ミスト生成部２３の径と実質的に同じである。
【００９２】
隔板２２１２は、平面視したときの（電極板２２１１の厚さ方向からみたとき）の外形が電極板２２１１と同様である枠部２２１２ａと、開口２２１１ａと同じ径を有する円環部２２１２ｂと、枠部２２１２ａと円環部２２１２ｂとを繋ぐ複数の連結部２２１２ｃとを有する。隔板２２１２において枠部２２１２ａ、円環部２２１２ｂおよび連結部２２１２ｃで囲まれる領域は孔部２２１２ｄである。隔板２２１２は、樹脂製であり、枠部２２１２ａ、円環部２２１２ｂおよび連結部２２１２ｃは一体的に形成されている。
【００９３】
一対のカバー２２２は、水素生成器２２１を挟み、水素生成器２２１をカバーしている。一対のカバー２２２のうちの一方は、水素生成部２２の上蓋として機能し、他方は、下蓋として機能する。一対のカバー２２２を平面視したときの形状は、電極板２２１１と同様である。各カバー２２２には開口２２１１ａと同じ径の開口２２１ａが形成されており、一対のカバー２２２それぞれにおいて、開口２２１ａ以外の他の領域には、複数の貫通孔２２１ｂが形成されている。
【００９４】
一対のカバー２２２で挟まれた水素生成部２２は、開口２２１１ａ，２２１ａおよび円環部２２１２ｂからミスト生成部２３が視認可能な状態でミスト生成部２３上に配置され、第１凹部２１ａの底部に螺子止めされている。
【００９５】
上記構成では、第１凹部２１ａ内に水タンク１０から水Ｗが流入した場合、開口２２１１ａ，２２１ａおよび円環部２２１２ｂによってミスト生成部２３に水Ｗが供給されるととともに、ミスト生成部２３で生成されたミストは、開口２２１１ａ，２２１ａおよび円環部２２１２ｂを通して、第２筒部１２３（図４参照）側に放出される。更に、電極板２２１１およびカバー２２２に形成された貫通孔２２１１ｂ，２２１ｂおよび隔板２２１２に形成された孔部２２１２ｄによって、一対の電極板２２１１間に水Ｗが確実に流入される。そして、一対の電極板２２１１間に流入した水Ｗが一対の電極板２２１１に供給される電力によって電気分解され水素が生成される。生成された水素は、上記貫通孔２２１１ｂ，２２１ｂおよび孔部を通して第２筒部１２３側に放出され得る。
【００９６】
第１凹部２１ａには、水タンク１０が本体部２０に設置された状態で、キャップ５１内の調節弁Ｖを操作するための操作棒８０が配置されている。多機能オゾン水素発生器２Ａでは、水タンク１０が本体部２０に設置された状態で操作棒８０が調節弁Ｖを押すことによって、調節弁Ｖが開かれ、水タンク１０からの水Ｗが第１凹部２１ａ内に流れ込む。操作棒８０の先端と調節弁Ｖとの間には水Ｗが少しずつ流れるための隙間が設けられている。操作棒８０の高さは、第１凹部２１ａ内の水位が最大水位に達した場合に、表面張力によって上記隙間が閉じられ水Ｗの流入が停止される高さである。したがって、多機能オゾン水素発生器２Ａでは、調節弁Ｖと操作棒８０とが、第１凹部２１ａ内の水位が最大水位を超えた場合に水タンク１０からの第１凹部２１ａへの水Ｗの供給を停止するための水位調節機構として機能する。上記のように調節弁Ｖと操作棒８０とによって最大水位が管理されるので、多機能オゾン水素発生器２Ａは、図１および図２に示した水位センサＳ１を有しない。
【００９７】
第１凹部２１ａには、水位検知のためのフロート（浮き）７２を支持する支持棒７０が配置されている。フロート７２は第１凹部２１ａ内の水位に応じて上下するように支持棒７０に取り付けられている。支持棒７０の先端にはフロートキャップ（浮きキャップ）７１が取り付けられている。支持棒７０の長さは、フロートキャップ７１の下面が上記最大水位となる高さである。支持棒７０には、第１凹部２１ａ内の水位が最低許容水位まで低下しているか否かを検知する水位センサＳ２（図２参照、図９では不図示）が配置されている。水位センサＳ２は、フロートが最大許容水位まで下がってきたときにフロート７２の位置を検知することによって第１凹部２１ａ内の水位が最低許容水位まで低下したことを検知する。
【００９８】
前述したように多機能オゾン水素発生器２Ａが備える調節弁Ｖは非電動型であり、多機能オゾン水素発生器２Ａは図１および図２に示した水位センサＳ１を備えない。したがって、制御ユニット２６は、水位センサＳ１に基づく調節弁Ｖの制御機能を有しない。制御ユニット２６の構成および機能は調節弁Ｖとの電気的な接続を有しない点および水位センサＳ１に基づく調節弁Ｖの制御機能を有しない点以外は、多機能オゾン水素発生器２の場合と同様であることから、説明を省略する。多機能オゾン水素発生器２Ａでは、水タンク１０に最大２リットルの水Ｗが貯められ得る。多機能オゾン水素発生器２ＡではＨｉ状態およびＬｏ状態はそれぞれ水タンク１０を満水状態（２リットル）において１５時間連続稼働可能および３５時間連続稼働可能なように設定されている。
【００９９】
上記構成の多機能オゾン水素発生器２Ａは、多機能オゾン水素発生器２の具体的な構成例であるため、少なくとも多機能オゾン水素発生器２と同様の作用効果を有する。
【０１００】
多機能オゾン水素発生器２Ａの構成では、オゾン生成部２４からのオゾンおよび送風器２５からの空気は、最大水位より上側に供給される。そのため、水素およびミストの少なくとも一方と、オゾンとを混合し、第２筒部１２３、第２筒部１１２および連結管４２を通して放出する場合、第１凹部２１ａ内の水面上で、水素およびミストの少なくとも一方と、オゾンとが混合され得る。
【０１０１】
更に、水滴ガード６０を備えているため、たとえば、ミストになりきれない水滴が放出されることを防止できる。水滴ガード６０で捕捉された水滴は、第２筒部１１２および第２筒部１２３を通して第１凹部２１ａ内に戻されるので、水Ｗを有効に利用可能である。
【０１０２】
多機能オゾン水素発生器２Ａでは、水タンク１０内に、ＴＥＲＡボール、イオン発生ボール、赤外線ボールおよびセリサイトボールを収容できる。ＴＥＲＡボールの作用によって、水Ｗの劣化が抑制される。セリサイトボールの作用によって、雑菌が除去され、水が浄化される。イオン発生ボールの作用によって、マイナスイオンの発生、ミネラル生成およびカルキの除去の少なくとも一つが可能である。遠赤外線ボールの作用によって、水素結合力を高め抗菌、抗カビ効果を高められる。
【０１０３】
次に、上記多機能オゾン水素発生器２Ａを用いた実験例を説明する。
【０１０４】
実験例では、インフルエンザウイルスに対する効果を検証した。実験例では、インフルエンザウイルスとして、インフルエンザウイルス（swine influenza virus） H1N1 IOWA株を使用した。
【０１０５】
［試験方法］
（Ｉ）対照区（自然減衰の確認用）
（１）試験室内に試験用チャンバー（１ｍ３）を配置した。
（２）ネプライザーを用いて供試ウイルス液を試験用チャンバー内に噴霧した。
（３）噴霧終了後３０秒間、攪拌用ファンを稼働させ、３０秒後停止させた。
（４）攪拌用ファンの停止後、エアーサンプラーを用いて７０Ｌの空気を吸引し、細胞培養液１５ｍＬ中に浮遊ウイルスを回収した（０分の回収）。
（５）０分の回収終了時を起点とし、５分および３０分後に、上記（４）と同様の操作によって浮遊ウイルスを回収した。細胞培養液は回収毎に新たなものを使用した。
（６）各回収液をウイルス力価の測定に用いた。
【０１０６】
（ＩＩ）試験区
（Ｉ）対照区（自然減衰の確認用）
（１）試験室内に試験用チャンバー（１ｍ３）を配置した。
（２）ネプライザーを用いて供試ウイルス液を試験用チャンバー内に噴霧した。
（３）噴霧終了後３０秒間、攪拌用ファンを稼働させ、３０秒後停止させた。
（４）攪拌用ファンの停止後、エアーサンプラーを用いて７０Ｌの空気を吸引し、細胞培養液１５ｍＬ中に浮遊ウイルスを回収した（０分の回収）
（５）０分の回収終了直後、多機能オゾン水素発生器２Ａを所定のモードで稼働させた。
（６）０分の回収終了時を起点とし、５分および３０分後に、上記（４）と同様の操作によって浮遊ウイルスを回収した。細胞培養液は回収毎に新たなものを使用した。
（７）各回収液をウイルス力価の測定に用いた。
多機能オゾン水素発生器２Ａは、上記３０分の回収が終了するまで継続した稼働した。
【０１０７】
上記所定モードがオゾン水素ミストモード（以下、「第１所定モードと称す）である場合を試験区１と称し、上記所定モードがオゾンミストモード（以下、「第２所定モード」と称す）である場合を試験区２と称す。なお、試験区１および試験区２の試験条件および多機能オゾン水素発生器２Ａの稼働条件は、上記モードの違い以外は、同様である。
【０１０８】
実験例で使用した多機能オゾン水素発生器２Ａにおいて、オゾン生成部２４には、オーニット株式会社製のオゾナイザーを使用し、ミスト生成部２３には  株式会社テラックス社製の超音波振動子を使用した。また、水素生成部２２を駆動する際には、水素酸化還元電位としてー１６００ｍＶを一対の電極板２２１１に供給した。
【０１０９】
細胞接種およびウイルス力価測定は次のように行った。
（１）各回収液について、それぞれ細胞培養液で１０倍階段希釈し、各１００μＬずつ９０ウェル(ｗｅｌｌ)プレートに細胞と同時に接種し培養した。
（２）３７℃、５％ＣＯ２下で５日間培養後、細胞変形効果を観察し、ウイルスの増殖の有無を確認した。
（３）ウイルス力価（ＴＣＩＤ５０）をＢｅｈｒｅｎｓ−Ｋａｒｂｅｒ法により算出した。なお、回収液原液において全てのウェルに反応が確認されない場合、一段階前の希釈系列は全てのウェルが反応したと仮定し計算した（検出限界：１００．５ＴＣＩＤ５０／ｍＬ）
【０１１０】
＜試験結果＞
対照区、試験区１および試験区２の試験結果を表に示す。更に、対照区、試験区１および試験区２の０分（開始時）のウイルス力価と比較したときの対数減少値を表６に示すとともに、ウイルス力価の推移を図１０に示す。図１０において、横軸は、測定時点を示し、縦軸は、ウイルス力価（ＴＣＩＤ５０）の対数表示である。表５および表６における「機器」は、実験に使用した多機能オゾン水素発生器２Ａである。
【表５】
0003230270.tif 000007
【表６】
0003230270.tif 000008
【０１１１】
本試験（実験例）の結果、対照区における各時点の回収液中のウイルス力価は、０分（開示時）で１０３．１ＴＣＩＤ５０／ｍＬであり、５分で１０２．９ＴＣＩＤ５０／ｍＬであり、３０分で１０２．５ＴＣＩＤ５０／ｍＬであった。また、０分（開始時）のウイルス力価と比較したときの対数減少値は５分で０．２であり、３０分で０．６であった。
【０１１２】
試験区１における各時点の回収液中のウイルス力価は、０分（開示時）で１０３．１ＴＣＩＤ５０／ｍＬであり、５分で１０２．５ＴＣＩＤ５０／ｍＬであり、３０分で検出限界未満（＜１００．５ＴＣＩＤ５０／ｍＬ）であった。また、０分（開始時）のウイルス力価と比較したときの対数減少値は５分で０．４であり、３０分で２．４を超えていた。
【０１１３】
試験区２における各時点の回収液中のウイルス力価は、０分（開示時）で１０２．９ＴＣＩＤ５０／ｍＬであり、５分で１０２．５ＴＣＩＤ５０／ｍＬであり、３０分で検出限界未満（＜１００．５ＴＣＩＤ５０／ｍＬ）であった。また、０分（開始時）のウイルス力価と比較したときの対数減少値は５分で０．４であり、３０分で２．４を超えていた。
【０１１４】
対照区と、試験区１および試験区２の対数減少値を比較すると、試験区１の減少率は５分で６０．２％であり、３０分で９９％以上であり、試験区２の減少率は５分で３６．９％であり、３０分で９８．４％以上であった。
【０１１５】
本試験より、多機能オゾン水素発生器では、インフルエンザウイルス（swineinfluenza virus） H1N1 IOWA株に対し、稼働後、３０分以降で、オゾン水素モードで９９％以上、オゾンモードであ９８．４％以上のウイルス不活性効果を有し得ることが示された。
【０１１６】
以上説明した実施形態等は、本考案の例示であり、本考案は、上記実施形態などで示した例示に限定されるものではなく、実用新案登録請求の範囲によって示される範囲が含まれるとともに、実用新案登録請求の範囲と均等の意味及び範囲内でのすべての変更が含まれることが意図される。
【０１１７】
たとえば、表示部は、制御ユニットと別の構成でもよい。放出路は、本体部で生成された水素、ミスト、およびオゾンの少なくとも一部を送風器から送られる空気によって外に噴出可能に構成されていればよい。水素生成部、ミスト生成部およびオゾン生成部はそれぞれ水素、ミスト及びオゾンを生成できればよい。
【符号の説明】
【０１１８】
２，２Ａ…多機能オゾン水素発生器、１０…水タンク、１０ａ…水出口、２０…本体部（底台）、２１ａ…第１凹部（凹部）、２１ｂ…底部、２１ｃ…第２凹部、２２…水素生成部、２３…ミスト生成部、２４…オゾン生成部、２５…送風器、２６…制御ユニット、３０…トンネル部（放出路）、４２…連結管（放出路）、６０…水滴ガード、８０…操作棒（水位調節機構）、１１２…第２筒部（放出路）、１２３…第２筒部（放出路）、４１２ａ…噴出口（放出口）、Ｖ…調節弁（水位調節機構）、Ｗ…水。
【図１】
0003230270.tif 000009
【図２】
0003230270.tif 000010
【図３】
0003230270.tif 000011
【図４】
0003230270.tif 000012
【図５】
0003230270.tif 000013
【図６】
0003230270.tif 000014
【図７】
0003230270.tif 000015
【図８】
0003230270.tif 000016
【図９】
0003230270.tif 000017
【図１０】
0003230270.tif 000018